(57)【要約】  分配栓システム３０、３０Ａは、２つ又はそれ以上の分配開口８５、８６、８７、８５Ａ、８８Ａと、２つ又はそれ以上の旋回可能な蓋１２１、１２２、１２３、１２１Ａ、１２１Ｂ、１２２Ｂ、１２３Ｂを備えている。各蓋を選択的に開くことができ、完全に開いた方向配置で保持することができる。本発明の好ましい一実施形態では、蓋は、分配開口を画定する栓本体３２、３２Ａ、３２Ｂの中にスナップフィットされる頂部の中に組み込まれている。
2008513311.tif 000002
【特許請求の範囲】
【請求項１】
製品を貯蔵できる内部を有する容器のための分配栓システムであって、
（Ａ）前記容器内部との連絡に適応する本体であって、
（１）少なくとも（ａ）製品を分配できる少なくとも１つの開口を画定する第１分配領域と、（ｂ）製品を分配できる少なくとも１つの開口を画定する第２分配領域とを有するデッキと、
（２）各々が（ａ）デッキの高さの上方に位置し、（ｂ）横方向に突出した、少なくとも２つの突起と
を含む本体と、
（Ｂ）少なくとも第１蓋であって、
（１）前記第１分配領域に結合し、
（２）（ａ）前記第１分配領域開口を塞ぐ閉位置と、（ｂ）製品を前記容器から前記第１配分領域開口を通って分配できるようにするための前記閉位置から離れた全開位置との間で、旋回可能であり、
（３）２つの横縁部を画定し、各横縁部は、前記第１蓋が前記全開位置に旋回されると前記突起の１つに係合し、これを越えさせられ、前記全開位置では、前記第１蓋を閉位置の方へ動かして前記第１蓋の縁部を前記突起を越えさせるように、十分な閉鎖力が前記第１蓋に加えられなければ、前記第１蓋が保持される
第１蓋と、
（Ｃ）少なくとも第２蓋であって、
（１）前記第２分配領域に結合し、
（２）（ａ）前記第２分配領域開口を塞ぐ閉位置と、（ｂ）製品を容器から前記第２配分領域開口を通って分配できるようにするための前記閉位置から離れた全開位置との間で、旋回可能であり、
（３）２つの横縁部を画定し、各横縁部は、前記第２蓋が前記全開位置に旋回されると前記突起の１つに係合し、これを越えさせられ、前記全開位置では、前記第２蓋を閉位置の方へ動かして前記第２蓋の縁部を前記突起を越えさせるように、十分な閉鎖力を前記第２蓋に加えない限りは、前記第２蓋は保持される
第２蓋と
を含むシステム。
【請求項２】
容器内部への開口部を有する容器のための分配栓であり、前記栓は前記開口部の周りで前記容器から分離しているが、前記容器に解除可能に取り付けることができる分配栓である請求項１に記載のシステム。
【請求項３】
前記分配栓が２部片組立体であって、
前記容器に装着するための本体であって、少なくとも前記第１及び第２分配領域を画定する本体と、
頂部は前記本体に装着されて前記第１蓋及び第２蓋を含む頂部であって、（Ａ）前記本体に固定された定置中央パネルと、（Ｂ）前記第１蓋を前記中央パネルに連結する第１蝶番と、（Ｃ）前記第２蓋を前記中央パネルに連結する第２蝶番とを含む頂部と
を含む２部片組立体である請求項２に記載のシステム。
【請求項４】
前記本体デッキが、製品を出して分配することができる少なくとも１つの開口を画定する第３分配領域を有し、
前記頂部が
（１）前記第３分配領域と結合した第３蓋と、
（２）（ａ）前記第３分配領域開口を閉塞する閉位置と（ｂ）前記第３分配領域を通って前記容器から製品を分配できるように前記閉位置から離れた全開位置との間で旋回可能移動するために、前記第３蓋を前記中央パネルに連結する第３蝶番と
を含み、
前記本体が、それぞれ前記第１、第２、及び第３蓋に付随し、係合するようになっている第１、第２、及び第３対として配置された前記突起を含み、
前記第３蓋は、２つの横縁部を画定し、各横縁部は、前記第３蓋が前記全開位置に旋回されると前記突起の１つに係合し、これを越えさせられ、前記全開位置では、前記第３蓋を閉位置の方へ動かして前記第３蓋の縁部を前記突起を越えさせるように、十分な閉鎖力を前記第２蓋に加えない限りは、前記第２蓋は保持される
請求項３に記載のシステム。
【請求項５】
前記本体が、離隔した前記突起の２つだけを有し、
前記第１蓋と前記第２蓋が各々、前記閉位置と前記全開位置との間を選択的に移動するようになっており、これによって各前記蓋の各前記横縁部は前記突起の１つと係合し、これを越えて移動する
請求項１に記載のシステム。
【請求項６】
各前記突起が（Ａ）細長く、（Ｂ）２つの端部を有する請求項１に記載のシステム。
【請求項７】
前記本体デッキは少なくとも、（Ａ）前記第１分配領域を画定するデッキ第１部分と、（Ｂ）前記第２分配領域を画定するデッキ第２部分とを有し、
前記本体は、（Ａ）前記デッキ第１部分及び前記デッキ第２部分より高い高位にある高められたプラットフォームを含み、（Ｂ）少なくとも前記デッキ第１部分と前記デッキ第２部分との間に延び、（Ｃ）少なくとも１つのアンカー孔を画定し、
前記本体は少なくとも２つの上向きに突出する壁を含み、各壁は（Ａ）前記デッキ第１部分、前記デッキ第２部分、及び前記プラットフォームに隣接して位置し、（Ｂ）前記プラットフォームより高い高位に延びており、
前記突起の１つは、前記２つの壁の１つから前記の高くなったプラットフォームを覆って横方向に突出し、
前記突起の他の１つは、前記２つの壁の他の１つから前記の高くなったプラットフォームを覆って横方向に突出し、
頂部を含み、前記頂部は、
（Ａ）前記第１蓋と、
（Ｂ）前記第２蓋と、
（Ｃ）定置中央パネルと、
（Ｄ）アンカー・ポストであって、
（１）前記中央パネルの下から突出しており、
（２）一時的に弾性変形可能な拡大ヘッドであって、最初に変形して前記本体の高くなったプラットフォーム・アンカー孔を通過し、続いて前記プラットフォームの下で変形しなかった外形に戻り、前記中央パネルを前記プラットフォームに取り付けるスナップフィット係合部を作り出すための拡大ヘッドを有する、アンカー・ポストと、
（Ｅ）前記中央パネルを前記第１蓋に連結する第１蝶番と、
（Ｆ）前記中央パネルを前記第２蓋に連結する第２蝶番と
を含む請求項１に記載のシステム。
【請求項８】
前記本体デッキは少なくとも、（Ａ）前記第１分配領域を画定するデッキ第１部分と、（Ｂ）前記第１分配領域を画定するデッキ第２部分と、（Ｃ）前記第２分配領域を画定するデッキ第２部分とを有し、
前記本体は、（Ａ）前記デッキ第１部分及び前記デッキ第２部分より高い高位にある高められたプラットフォームを含み、（Ｂ）少なくとも前記デッキ第１部分と前記デッキ第２部分との間に延び、（Ｃ）環状スナップフィット保持ビードを備えた１つのアンカー凹所を画定し、
前記本体は少なくとも２つの上向きに突出する壁を含み、各壁は（Ａ）前記プラットフォームに隣接して位置し、（Ｂ）前記プラットフォームより高い高位に延びており、
前記突起の１つは、前記２つの壁の１つから前記の高くなったプラットフォームを覆って横方向に突出し、
頂部を含み、前記頂部は、
（Ａ）前記第１蓋と、
（Ｂ）前記第２蓋と、
（Ｃ）定置中央パネルと、
（Ｄ）アンカー・ポストであって、
（１）前記中央パネルの下から突出しており、
（２）前記アンカー・ポストが前記アンカー凹所の中に挿入されると、前記アンカー・ポスト保持ビードと協働して前記中央パネルを前記プラットフォームに取り付けるスナップフィット係合部を作り出すアンカー・ポストと、
（Ｅ）前記中央パネルを前記第１蓋に連結する第１蝶番と、
（Ｆ）前記中央パネルを前記第２蓋に連結する第２蝶番と
を含む請求項１に記載のシステム。
【請求項９】
前記本体デッキは、第３分配領域を画定するデッキ第３部分を画定し、前記デッキ第３部分は、製品を出して分配することができる少なくとも１つの開口を画定し、
前記本体は、前記上向きに突出する壁の３つを含み、
（Ａ）前記上向きに突出する壁の第１壁は、
（１）前記デッキ第１部分、前記デッキ第２部分、及び前記プラットフォームに隣接して位置し、
（２）前記プラットフォームより高い高位に延び、
（Ｂ）前記上向きに突出する壁の第２壁は、
（１）前記デッキ第２部分、前記デッキ第３部分、及び前記プラットフォームに隣接して位置し、
（２）前記プラットフォームより高い高位に延び、
（Ｃ）前記上向きに突出する壁の第３壁は、
（１）前記デッキ第３部分、前記デッキ第１部分、及び前記プラットフォームに隣接して位置し、
（２）前記プラットフォームより高い高位に延び、
（Ｄ）前記３つの上向きに突出する壁の各々は、互いに分岐する２つの内端面を有し、
前記突起の１つは、前記内端面の１つから前記本体の高められたプラットフォームと前記頂部中央パネルを越えて突出し、
前記頂部は、（Ａ）第３分配領域と結合する第３蓋と、（Ｂ）前記第３蓋を前記中央パネルに連結する第３蝶番とを含み、こうして前記第３蓋は、前記第１分配領域開口を閉塞する閉位置と、前記閉位置から離れて製品を容器から第３分配領域開口を通じて分配できるようにする開位置との間で、旋回可能であり、
前記第３蓋は、前記第３蓋が前記全開位置に旋回すると各々が前記突起の１つに係合してこれを越えて強制されるための、２つの横縁部を画定し、前記全開位置では、前記第３蓋を前記閉位置に向けて動かし前記第３縁部を前記突起を越えさせる十分な力が前記第３蓋に加えられない限り、前記第３蓋は保持されている、
請求項８に記載のシステム。
【発明の詳細な説明】
【技術分野】
【０００１】
本発明は、容器から材料を分配するためのシステムに関する。本発明は、搾り出し可能な容器と共に使用するための分配栓に組み込むのに特に適している。
【背景技術】
【０００２】
従来の分配栓については様々な形式がある。従来の技術による分配栓システムの１つの形式は、容器の頂部に取り付けるための本体又はベースを含む。本体は分配開口部を画定する。システムは蓋を更に含み、蓋は本体に蝶番式に取り付けられ、蓋を持ち上げて分配開口部を開くことができる。
【０００３】
分配栓は一般的に、容器から流動製品を分配するために使用される。ある形式の流動製品において、ある用途では、本体分配開口部を、蓋を開いたときに周囲の全部でなければ、その大部分の周りで実質的に妨害されないようにすることが望ましい。蓋が垂下せず、流動製品の分配過程を妨げないように、蓋はできるだけ開いたままに保持されていることが望ましい。例えば、マスタード又はその他の流動製品を容器から分配栓の分配開口部を通じて分配するとき、使用者は、開いた蓋が分配製品に接触するか、又は流動製品が上に分配される皿又は食品などの目標区域に接触することを望まない。
【発明の開示】
【発明が解決しようとする課題】
【０００４】
製品の分配中に蓋を開位置に維持するための改善されたシステムを提供することが望ましいことであろう。更に、ある用途では、様々なサイズと外形を有する排出流を選択的に分配するために様々な外形を有する複数の分配開口部を備えた分配栓を提供することが望ましい。各個別の分配開口部がそれ自体の個別の蓋を有する場合には、１つの所望の分配開口部を選択して、結合の蓋を開くことによって開くことができると共に、他の分配開口部はそれら自体の個別の蓋によって閉じた状態にしておくことができることが好ましい。
【０００５】
各々が選択的且つ容易に閉状態と実質的に広い開状態との間で動作することができる複数の開口部と複数の蓋を有し、開かれた蓋は、使用者が開かれた蓋を再び閉めるまで実質的に広い開状態に維持される、分配栓を提供することが望ましいことであろう。
【０００６】
このような多蓋式栓は、使用の容易さに適応すべきである。好ましくは、このような改善された多蓋式栓は又、分配開口部の周りの区域を容易に洗浄可能にするものでなければならない。
【０００７】
容易に製造及び組立てができる構成部分を有することになる改善された分配栓システムを提供することも望ましいことであろう。
【０００８】
改善された分配栓システムが、様々な異なる材料からのその製造に容易に適応できる場合には、これも又有益であろう。
【０００９】
このような改善された分配栓システムが、様々な形状を有し且つ様々な材料から構成されるボトル、容器、又はパッケージに適応できる場合には、これも又有利であろう。
【００１０】
更に、このような改善されたシステムが、ユニット毎に高い信頼性を伴う一貫した動作特性を有する製品を製造するために、製品廃棄率が低くて効率的、高品質、高速度の大量製造技術に適応できる場合には、これは望ましいことであろう。
【課題を解決するための手段】
【００１１】
本発明の分配栓システムは、上述の望ましい機能の１つ又は複数を含む設計に適応することができる。本発明の一態様によれば、分配栓システムは、製品を貯蔵できる内部を有する容器のために提供される。分配栓システムは、容器内部との連絡に適応するための本体を有する。本体は、
（１）少なくとも（ａ）製品を分配できる少なくとも１つの開口を画定する第１分配領域と、（ｂ）製品を分配できる少なくとも１つの開口を画定する第２分配領域とを有するデッキと、
（２）各々が（ａ）デッキの高さの上方に位置し、（ｂ）横方向に突出した、少なくとも２つの突起と
を含む。
【００１２】
栓システムは又、少なくとも第１蓋も含み、この第１蓋は、
（１）第１分配領域に結合し、
（２）（ａ）第１分配領域開口を塞ぐ閉位置と、（ｂ）製品を容器から第１配分領域開口を通って分配できるようにするための閉位置から離れた全開位置との間で、旋回可能であり、
（３）２つの横縁部を画定し、各横縁部は、第１蓋が全開位置に旋回されると突起の１つに係合し、これを越えさせられるためであり、全開位置では、第１蓋を閉位置の方へ動かして突起を越えて第１蓋の縁部を強制するように、十分な閉鎖力を第１蓋に加えない限りは、第１蓋は保持される。
【００１３】
栓システムは又、少なくとも第２蓋も含み、この第２蓋は、
（１）第２分配領域に結合し、
（２）（ａ）第２分配領域開口を塞ぐ閉位置と、（ｂ）製品を容器から第２配分領域開口を通って分配できるようにするための閉位置から離れた全開位置との間で、旋回可能であり、
（３）２つの横縁部を画定し、各横縁部は、第２蓋が全開位置に旋回されると突起の１つに係合し、これを越えさせられるためであり、全開位置では、第２蓋を閉位置の方へ動かして突起を越えて第２蓋の縁部を強制するように、十分な閉鎖力を第２蓋に加えない限りは、第２蓋が保持される。
【００１４】
本発明の一形式では、システムは、容器内部への開口部を有する容器のための２部片分配栓であり、この栓は開口部の周りで容器から分離しているが、容器に解除可能に取り付けることができる。栓は、容器に装着するための本体を含み、本体は少なくとも第１及び第２分配領域を画定する。栓は又、頂部は本体に装着されて第１蓋及び第２蓋を有する頂部も含む。頂部は又、（１）本体に固定された定置中央パネルと、（２）第１蓋を中央パネルに連結する第１蝶番と、（３）第２蓋を中央パネルに連結する第２蝶番とを含む。
【００１５】
栓は又、（１）第１及び第２分配領域と類似の第３分配領域と、（２）第３分配領域に結合する旋回可能第３蓋と、（３）第３蓋を開いた状態で保持する突起とを含む。
【００１６】
本発明のその他の多くの利点及び特徴は、本発明の下記の詳細な説明、特許請求の範囲、及び添付の図面から、容易に明らかになろう。
【００１７】
明細部分を形成する添付の図面において、同様な部分を指示するために同様な番号が全体を通じて使用されている。
【実施例】
【００１８】
本発明は、多くの様々な形の実施形態に可能であるが、本明細書と添付の図面は単に、いくつかの特定の形を本発明の実施例としてのみ開示する。しかし、本発明をこのように説明される実施形態に限定することを意図するものではない。本発明の範囲は添付の特許請求の範囲に指摘されている。
【００１９】
説明を容易にするために、分配システムを全体的に直立した方向配置で説明し、容器がその基部の上に直立して貯蔵されるときに、容器の上端部に分配システムを有することができる。しかし、本発明の分配システムを、説明された位置以外の方向配置で製造、貯蔵、運搬、使用、及び販売してもよいことは理解されよう。
【００２０】
本発明の分配システムは、様々な設計を有する様々な従来又は特別の容器と共に使用するために適しており、これらの容器の詳細は、図示又は説明しないが、当業者には明白であり、このような容器の理解は明らかであろう。本明細書に記載の本発明の図解された実施形態に関して、容器それ自体は、本発明の最も広い態様の一部を形成するものではなく、したがってこの態様を限定しようとするものではない。新規の明らかではない本発明の態様が説明される例示的な分配システムにおいてのみ実現されることも、当業者には理解されよう。
【００２１】
本発明による分配栓システムの現在好ましい第１実施形態は、図１〜１２に図示する分配栓組立体の形を呈し、本明細書では図１において全体として参照番号３０で指定されている。分配栓組立体３０（以下簡単に「栓３０」と称することもある）は、容器（図示せず）の頂部に取り付けるための個別に製造されたユニット又はサブアセンブリとして提供される。しかし、ある適用では、容器の単一部品又は延長部として形成されることが分配栓３０のために望ましいこともあり、この単一部品又は延長部がそれ自体、容器の分配端部構造を画定することは理解されよう。
【００２２】
容器（図示せず）は一般的に、容器内部とこの中に含まれる製品へのアクセスをもたらす従来の口を有する。製品は、例えば、マスタード、ケチャップ、マヨネーズなどの流体又は展開可能な製品であってもよい。製品は、粉体、クリーム、ローション、スラリー、ペーストなどを含むがこれらに限定されない、その他の任意の流動性又は展開可能な材料にすることもできよう。このような材料は、例えば食品、パーソナルケア用製品、産業用又は家庭用製品、又はその他の合成品（例えば、人畜による内的又は外的使用、活性に関与する薬品、製造、商用、又は家庭用メンテナンス、建設、農業などのための合成品）として販売されてもよい。
【００２３】
容器は一般的に、ネック又はその他の容器口を画定する適当な構造物を有してもよい。ネックは円形断面の外形を有してもよく（しかし必要ではない）、容器の本体は、例えば楕円断面形状などのその他の断面の外形を有してもよい。容器は一方、ネック部分のサイズは減少せず又は断面は変わらず、その全長又は全高に沿って実質的に均一の形状を有してもよい。
【００２４】
容器は一般的に、可とう性の１つ又は複数の壁を有する搾り出し可能な容器であってもよく、この容器は使用者が掴むことができ、圧縮されて容器内の内圧を高め、この結果、栓３０が開くと製品が栓３０を通じて容器の外へ搾り出される。このような容器壁は一般的には、十分な固有の弾力性を有しているので、圧搾力を除去すると、容器壁はその正常な応力のかかっていない形状に戻る傾向があり、栓が開モード又は通気モードになる程度に、栓を通じて容器の中に大気を引き込む傾向がある。このような搾り出し可能な容器構造は多くの用途において好ましいが、その他の用途においては必要ではなく、又は好ましくない。実際に、容器は実質的に剛体であってもよい。この様な剛体容器には、製品特に比較的粘性のある製品の分配を助けるために、ピストンを備えることもできよう。一方、剛体容器を、分配製品の質量に作用する重力の影響の下で、及び／又は（例えば、開放容器を吸い出すことによって作られるような）容器外側における低下した周囲気圧の影響の下で、製品を逆分配するために使用することもできよう。
【００２５】
第１実施形態に関する図５に示すように、栓３０の好ましいマルチピース構造は、ベース又は本体３２と、頂部３４とを有する。
【００２６】
図１〜１２に図示する好ましい第１実施形態では、栓本体３２と頂部３４は、ポリプロピレンなどの適当な熱可塑性材料から成形されることが好ましい。この代わりに別の材料を使用してもよい。
【００２７】
その他の計画される実施形態では、栓３０は本体３２それ自体、及び頂部３４それ自体を含むマルチピース構造である必要はない。更に、栓３０は、容器から完全に分離した構造である必要はない。その代りに、容器それ自体を、本体３２を容器の単位部品として組み込んだ、又は本体３２と頂部３４とを共に容器の単位部品として組み込んだ、分配端構造を伴って作ることもできよう。これらの代替物の全てにおいて、本体３２を、容器内部との連絡をもたらすために機能する構造的機構として特徴付けてもよい。
【００２８】
上に論述した代替実施形態のいずれにおいても、容器は、底端部（すなわち、栓３０が上に位置している分配端部の反対側の端部）を有してもよく、この容器端部を、分配しようとする製品によって容器を満たすために便宜を図るように最初は開けたままにしておくことができよう。容器の開いた底端部を通じて容器が製品によって満たされた後に、容器の開いた端部を、適当なねじ式係合スナップフィット係合、接着剤係合、熱接着係合などによって容器底部に取り付けることができる個別の底端部栓などの適当な手段によって、閉じることができよう。代替案として、容器の開いた底部分を、（例えば、容器底部分が、プラスチック材料、又は熱と力を加える適切な方法の使用に適応するその他の材料から作られている場合には、この方法で）変形して閉じることができよう。
【００２９】
本体３２は、栓本体３２を容器（図示せず）に固着するために対合容器ねじ（図示せず）と係合するための通常の内部ねじ３８を備えたスカート３６（図７及び９）を有してもよい。
【００３０】
栓本体３２と容器を、スナップフィット・ビードと溝（図示せず）又はその他の手段によって、解除可能に連結することもできよう。代替案として、栓本体３２を、容器と栓本体３２のために使用される材料に応じて、誘導接合、超音波接合、接着などによって、容器に永続的に取り付けてもよい。本体３２の内部は、栓本体３２と容器との間の強化された耐漏洩シールを準備するために、特別又は従来のシール機構を含んでもよい。
【００３１】
栓本体３２の図示された好ましい第１形式は、径方向内向きに延在するデッキ４０を画定する（図５）。図８を参照すると、本体デッキ４０は、第１デッキ部分４１と、第２デッキ部分４２と、第３デッキ部分とを有する。デッキ４０は又、第１デッキ部分４１と第２デッキ部分４２との間に位置する径方向に向いて上向きに突出する第１壁５１も含む。デッキ４０は又、第２デッキ部分４２と第３デッキ部分４３との間に位置する径方向に向いて上向きに突出する第２壁５２も含む。デッキ４０は又、第３デッキ部分４３と第１デッキ部分４１との間に位置する径方向に向いて上向きに突出する第３壁５３も含む。
【００３２】
図８及び９において理解できるように、各壁５１、５２、及び５３は、互いに分岐して離れる２つの内部端面６１及び６２を有する。壁の内部端面６１及び６２は、隆起した中央プラットフォーム６６（図５）の近くで全体的に垂直上向きに延び、隆起した中央プラットフォーム６６は、第１デッキ部分４１、第２デッキ部分４２、及び第３デッキ部分４３よりも高い。隆起した中央部分６６は、各壁５１、５２、及び５３の内端面６２及び６２から径方向内向きに延びている。隆起した中央プラットフォーム６６は少なくとも１つのアンカー孔を、好ましくは３つのこのようなアンカー孔６８（図８及び９）を画定する。
【００３３】
図１及び６において理解できるように、各第１壁５１、第２壁５２、及び第３壁５３の内端部６１は、隆起した中央プラットフォーム６６の上で横に突出する突起７１を支持する（図５及び９を参照）。各第１壁５１、第２壁５２、及び第３壁５３の内端部６２は、隆起した中央プラットフォーム６６の上で横に突出する突起７２を支持する。図６において理解できるように、各突起７１及び７２は細長くて、２つの端部を有する。図９における突起７１に関して理解できるように、各突起は、栓本体デッキ４０と３つの蓋蝶番の旋回軸を含む共通平面とに対して僅かな角度で傾いて向けられることが好ましい。
【００３４】
デッキ第１部分４１、デッキ第２部分４２、及びデッキ第３部分４３は各々、（図５及び８において理解できるように）それぞれ、円筒状突起又は放出口８１、８２、及び８３の形状で分配領域を有する。図８において理解できるように、第１分配領域又は放出口８１は５つの円筒状分配開口８５を有し、第２分配領域又は放出口８２は単一の円筒状分配開口８６を有し、第３分配領域又は放出口８３は一対の分配開口８７を有し、この一対の分配開口の各々は正方形の導管開口部の形状を有する。中央開口８５は、栓の主縦軸に平行な縦軸を有する。残りの４つの開口８５は各々、図８において理解できるように、中央開口８５の軸に対して斜角をなす縦軸を有し、これによってより広い分散排出パターンが得られる。開口部８５、８６、及び８７は、特定の用途に応じて望まれるときには他の形状を有してもよい。
【００３５】
図８において理解できるように、栓本体３２のスカート３６の外側表面は、周囲方向に離隔した３つの親指アクセス用凹所３２を有し、この凹所の形状は図５における栓本体３２の斜視図から明らかである。栓本体スカート３６の残りの外側表面の主要部分は、使用者のために握り表面を向上させるために、軸方向に延在するリブ又は溝の周囲配列を伴って形成されることが好ましい。
【００３６】
図４及び図１０〜１２は、頂部３４の構造を更に詳しく図示する。図９における頂部３４の下側の図を参照すると、頂部３４は定置中央パネル１００を含む。３つのアンカー・ポスト１０２が中央パネル１００の下から突出している。各アンカー・ポスト１０２は拡大された頭部を有し、この頭部は、先ず変形して栓本体の中央プラットフォームのアンカー孔６８の１つを通過するために、続いてプラットフォーム６６の下でその変形しない外形に戻り、図４において理解できるように、頂部中央パネル１００の栓本体プラットフォーム６６へのスナップフィット係合式取付け部を作るために、一時的に弾性変形可能である。
【００３７】
図１０において理解できるように、蓋３４は第１蓋１２１と、第２蓋１２２と、第３蓋１２３とを有する。図５において理解できるように、第１蓋１２１は、デッキ第１部分４１と結合し、この上に位置するようになっている。第２蓋１２２は、デッキ第２部分４２と結合し、この上に位置するようになっている。第３蓋１２３は、デッキ第３部分４３と結合し、この上に位置するようになっている。
【００３８】
図１０において理解できるように、第１蓋１２１は、第１薄膜蝶番１３１によって中央パネル１００に連結されている。第２蓋１２２は、第１薄膜蝶番１３２によって中央パネル１００に連結されている。第３蓋１２３は、第３薄膜蝶番１３３によって中央パネル１００に連結されている。各薄膜蝶番１３１、１３２、及び１３３は、頂部３４の下側における全体的にＶ状の溝によって画定され、こうして、（図１及び４に示すように）閉位置と（図２の第２蓋１２２のために示すように）全開位置との間の連結式蓋の選択的な動きに適応する材料の厚さを減らした部分を画定する。
【００３９】
図１０において理解できるように、第１蓋１２１の下側は、突出する円筒状密封カラー１４１を有する。第２蓋１２２の下側は、突出する円筒状密封カラー１４２を有する。第３蓋１２３の下側は、突出する円筒状密封カラー１４３を有する。各密封カラー１４１、１４２、及び１４３は、結合された栓本体放出口（例えば、図５に見ることができる放出口８１、８２、又は８３）の外側円筒状表面に密封係合するための、内向きに突出した環状シール・ビード１４４を有する。図４Ａは、閉じられた第２蓋１２２を示しており、密封カラー１４２は栓本体の放出口８２を取り囲み、密封カラー１４２上の環状ビード１４４は栓本体の放出口８２の外側円筒状表面と密封係合している。
【００４０】
図１０において理解できるように、第１蓋１２１は前部スカート１５１を含み、第２蓋１２２は前部スカート１５２を含み、第３蓋１２３は前部スカート１５１を含む。各スカート１５１、１５２、及び１５３の外側は、窪んだサム・リフト１５４を画定する。図１０において理解できるように、各サム・リフト１５４は、蓋のアンダカット領域を画定し、この領域に対して親指又は指を押し付けて蓋を開くことができる。
【００４１】
各蓋スカート１５１、１５２、及び１５３の内側は、横方向又は内向きに突出する掛け金ビードを含み、図４Ａは、第２蓋スカート１５２の上のこのような掛け金ビード１６２を示す。デッキ第２部分４２は、第２蓋掛け金ビード１６２と協働するための、横方向又は外向きに突出する掛け金ビード１６４を含む。図４において理解できるように、第２蓋１２２を閉じると、第２蓋掛け金ビード１６２は、栓本体のデッキ第２部分の掛け金ビード１６４の僅か下方に離隔する。第２蓋１２２が、（例えば不意の衝撃からの、又は使用者の指又は親指による故意の押付けからの）上向きの力を受けた場合には、第２蓋１２２は、掛け金ビード１６２及び１６４が係合するまで僅かに下向きに動くこともある。この時点で、蓋掛け金ビード１６２を栓本体の掛け金ビード１６４を越えて先まで動かすために、実質的により大きな力が必要である。掛け金ビード１６２及び１６４のこの配置は、栓３０と結合パッケージの正規の取扱い中に、蓋を閉位置に保持するために機能する。しかし、掛け金ビードの配置は、十分な開放力を加えたときに蓋１２２のゆっくりした開放に適応する。更に、蓋を閉めるとき、離隔した掛け金ビード１６２及び１６４の配置は、製造公差によって垂直寸法の僅かな変動に適応する。
【００４２】
図２において理解できるように、第２蓋１２２を上向きに押し付けて、その蝶番を開位置に旋回させることができる。第２蓋１２２を、第１壁５１と第２壁５２の上の栓本体突起と係合することによって、その開位置に保持、すなわち維持することができる。図１及び４を参照すると、第２壁５２の内端面６１上の突起７１は、第２蓋１２２が開位置に動かされると第２蓋１２２の横部分に係合するようになっている。同様に、図３を参照すると、第１壁５１の内端面６２上の突起７２は、第２蓋１２２の他の横縁部分に係合するようになっている。詳しくは、図１１を参照すると、第２蓋１２２は、第２蓋１２２が全開位置に旋回されてそこで保持されると、栓本体の突起の１つ（例えば７１又は７２）に係合してこれを越えて強制されるための、一対の横縁部すなわち縁端部１７２を画定する幅が小さくなった領域を有することが理解できる。更に、蓋の旋回に対するいくらかの追加抵抗が、蓋の横側部又は縁端部１７２と壁５２及び５１それぞれの隣接内端面６１及び６２との間の僅かな干渉によって作られる。
【００４３】
第２蓋１２２を閉位置に向けて動かし突起７１及び７２を越えて第２蓋縁端部１７２を強制するように、第２蓋１２２に閉鎖力を加えないかぎり、第２蓋１２２は全開位置（図２）に保持される。第２蓋１２２が完全に開いているときは、これは閉位置から約１７０度又はそれ以上の角度で保持されることが好ましい。これは分配開口８２の周りの区域を露出し、第２デッキ部分４２の周りに隙間を提供する。第２蓋１２２が全開位置に保持されると、使用者は、第２蓋１２２が流動製品の排出流の眺めをひどく妨害することなく、第２蓋１２２が食品皿又はそのような物などの目標区域に不注意に触れることがあるように垂れ下がることなく、製品を容易に分配することができる。
【００４４】
第２蓋１２２が図２に示すように全開位置にあるとき、壁５１又は５２の近くの蓋の横端縁部の下側縁部は、保持突起（蓋１２２の片側の突起７１と蓋１２２の他の側の突起７２）の下に位置することが好ましい。
【００４５】
別の２つの蓋、すなわち第１蓋１２１及び第３蓋１２１は、上記の第２蓋１２２と同じ方式で機能する。したがって、使用者は３つの蓋のいずれか１つを選択的に開いてもよく、分配過程中又は分配開口を取り囲むデッキ部分の掃除中に、開いた蓋を全開位置に保持することができる。
【００４６】
第２蓋１２２を開いて分配開口８６を通じて（マスタードなどの）流動製品を分配すると、比較的小さな全体的に円筒状の流れが排出される。分配中に、使用者は、らせんパターンなどの所望のパターンで流れを分配して堆積させるように、（容器が取り付けられた）栓を動かすことができる。この目的のために、第２蓋１２２の外側上部表面は、図３に図示するように、らせん１８３のデザイン構成を含む。これは、使用者が流動製品を置くことができる様々な形状の１つの実施例として役立つ。
【００４７】
第１蓋１２１を開いて、５つの分配開口８５（図５）を露出させることができる。５つの開口８５を通って排出する製品は、十字すなわちプラス符号の形状の初期堆積物を形成することもできる。この目的のために、十字すなわちプラス符号１８４のデザインが、第１蓋１２１の外側上部表面の上に示されている。
【００４８】
２つの分配開口８７（図５）は、流動製品の２つの平行流を同時に分配することができる。使用者が分配中にパッケージをジグザグ様式で動かす場合には、流動材料は２つのジグザグ構成で堆積されることになる。この目的のために、第３蓋１２３の外側上部表面は２つのジグザグ形状１８５（図３）のデザインを備えている。
【００４９】
栓３０を、２つの部品、すなわち栓本体３２と栓頂部３４として容易に成形することができる。次にこの２つの部品を、栓本体３２の上に栓頂部３４をスナップフィットすることによって容易に組み立てることができる。これらの２つの部品を、異なる色彩で及び／又は異なる材料から作ることができる。
【００５０】
分配栓組立体の形による本発明の分配システムの現在好ましい第２実施形態を、図１３〜２５に図示する。第２実施形態の図１７に示すように、栓３０Ａの好ましいマルチピース構造は、ベース又は本体３２Ａと頂部３４Ａとを含む。栓本体３２Ａと頂部３４Ａは、ポリプロピレン又はそのような物などの適切な熱可塑性材料から成形されることが好ましい。この代わりに他の材料を使用してもよい。上に論述した第１実施形態の栓３０によるように、第２実施形態の栓３０Ａはマルチピース構造である必要はなく、容器から完全に分離した構造である必要もない。この代わりに、容器それ自体を、本体３２Ａを容器の単一部分として組み込んだ、又は本体３２Ａと頂部３４Ａの両方を容器の単一部分として組み込んだ分配端部と共に作ることができよう。
【００５１】
本体３２Ａは、栓本体３２Ａを容器（図示せず）に固着するために対合容器ねじと係合するための従来の内部ねじ３８Ａを備えたスカート３６Ａ（図１９及び２２）を有してもよい。
【００５２】
栓本体３２Ａ及び容器を、スナップフィット・ビード及び溝（図示せず）又はその他の手段によって、解除可能に連結することもできよう。代替案として、容器及び栓本体３２Ａに使用される材料に応じて、栓本体３２Ａを、誘導接合、超音波接合、接着などによって、容器に永続的に取り付けてもよい。本体３２Ａの内部は、栓本体３２Ａと容器との間の強化された耐漏洩シールを準備するために、特別又は従来のシール機構を含んでもよい。
【００５３】
栓本体３２Ａの図示された第２形式は、径方向内向きに延在するデッキ４０Ａ（図１７）を画定する。図１７を参照すると、本体デッキ４０Ａは、第１デッキ部分４１Ａと第２デッキ部分４２Ａとを有する。デッキ４０Ａは又、デッキ第１部分４１Ａとデッキ第２部分４２の片側に沿って位置する上向きに突出する第１壁５１Ａも含む。デッキ４０Ａは又、第１壁５１Ａから離隔してこれに平行な上向きに突出する第２壁５２Ａも含む。第２壁５２Ａは、デッキ第２部分４２Ａとデッキ第１部分４１の片側に沿って位置する。
【００５４】
図１７及び２２において理解できるように、各壁５１Ａ及び５２Ａは、それぞれ突出内面６１Ａ及び６２Ａを有する。壁内面６１Ａ及び６２Ａは、隆起した中央プラットフォーム６６Ａ（図１７及び２２）の近くで全体的に垂直上向きに延び、隆起した中央プラットフォーム６６Ａは、第１デッキ部分４１Ａ、及び第２デッキ部分４２Ａよりも高い。隆起した中央部分６６Ａは、内面６１Ａと６２Ａとの間に延在している。隆起した中央プラットフォーム６６Ａは少なくとも１つのアンカー孔を、好ましくは２つのこのようなアンカー孔６８Ａ（図１７及び２２）を画定する。
【００５５】
図１７及び２２において理解できるように、内面６１Ａは、隆起した中央プラットフォーム６６Ａの上で横に突出する突起７１Ａを支持する。第２壁５２Ａの内面６２Ａは、隆起した中央プラットフォーム６６Ａの上で横に突出する突起７２Ａを支持する。図１８において理解できるように、突起７１Ａは細長くて、各々が丸みを付けられてカム作用面を画定する２つの端部７３Ａ及び７５Ａを有する。突起７２Ａは同一の形状を有する。図１８及び２１における突起７１Ａに関して理解できるように、各突起は、中間の下点から各端部７３Ａ及び７５Ａに向かって僅かに上向きに曲がる丸みを付けた下縁部を有することが好ましい。
【００５６】
デッキ第１部分４１Ａ及びデッキ第２部分４２Ａは各々、（図１７及び２０において理解できるように）それぞれ、円筒状突起又は放出口８１Ａ及び８２Ａの形状で分配領域を有する。図２０において理解できるように、第１分配領域又は放出口８１Ａは一対の分配開口８５Ａを有し、これらの分配開口の各々は正方形の導管開口部の形状を有し、第２分配領域又は放出口８２Ａは８つの円筒状分配開口８８Ａを有する。
【００５７】
図１３及び１６において理解できるように、栓本体３２Ａのスカート３６Ａの外側表面は、周囲方向に離隔した２つの親指アクセス用凹所９１Ａを有し、この凹所の形状は図１７における栓本体３２Ａの斜視図から明らかである。栓本体スカート３６の残りの外側表面の主要部分は、使用者のために握り表面を向上させるために、（図１における第１実施形態におけるように）軸方向に延在するリブ又は溝の周囲配列を伴って形成されることが好ましい。
【００５８】
図１７及び図２３〜２５は、頂部３４Ａの構造を更に詳しく図示する。図２３における頂部３４Ａの下側の図を参照すると、頂部３４Ａは定置中央パネル１００Ａを含む。２つのアンカー・ポスト１０２Ａが中央パネル１００Ａの下から突出している。各アンカー・ポスト１０２Ａは拡大された頭部を有し、この頭部は、先ず変形して栓本体の中央プラットフォームのアンカー孔６８Ａの１つを通過するために、続いてプラットフォーム６６Ａの下でその変形しない外形に戻り、図１６において理解できるように、頂部中央パネル１００Ａの栓本体プラットフォーム６６Ａへのスナップフィット係合式取付け部を作るために、一時的に弾性変形可能である。
【００５９】
図２３において理解できるように、蓋３４Ａは第１蓋１２１Ａと第２蓋１２２Ａとを有する。図１７において理解できるように、第１蓋１２１Ａは、第１デッキ部分４１Ａに結合されて、この上に位置するようになっている。第２蓋１２２Ａは、デッキ第２部分４２Ａに結合されて、この上に位置するようになっている。
【００６０】
図２３において理解できるように、第１蓋１２１Ａは、第１薄膜蝶番１３１Ａによって中央パネル１００Ａに連結されている。第２蓋１２２Ａは、第１薄膜蝶番１３２Ａによって中央パネル１００Ａに連結されている。各薄膜蝶番１３１Ａ及び１３２Ａは、頂部３４Ａの下側における全体的にＶ状の溝によって画定され、こうして、（図１３及び１６に示すように）閉位置と（図１４の第２蓋１２２Ａのために示すように）全開位置との間の連結式蓋の選択的な動きに適応する材料の厚さを減らした部分を画定する。
【００６１】
図２３において理解できるように、第１蓋１２１Ａの下側は、突出する円筒状密封カラー１４１Ａを有する。第２蓋１２２Ａの下側は、突出する円筒状密封カラー１４２Ａを有する。各密封カラー１４１Ａ及び１４２Ａは、結合された栓本体放出口（例えば、図１７に見ることができる放出口８１Ａ及び８２Ａ）の外側円筒状表面に密封係合するための、内向きに突出した環状シール・ビード１４４Ａを有する。図１６は、閉じられた第１蓋１２１Ａを示しており、密封カラー１４１Ａは栓本体の放出口８１Ａを取り囲み、密封カラー１４２Ａの内側上の環状ビード１４４Ａは栓本体の放出口８１Ａの外側円筒状表面と密封係合している。
【００６２】
図２３において理解できるように、第１蓋１２１Ａは前部スカート１５１Ａを含み、第２蓋１２２Ａは前部スカート１５２Ａを含む。各スカート１５１Ａ及び１５２Ａの外側は、窪んだサム・リフト１５４Ａを画定する。図２３において理解できるように、各サム・リフト１５４Ａは、蓋のアンダカット領域を画定し、この領域に対して親指又は指を押し付けて蓋を開くことができる。
【００６３】
各蓋スカート１５１Ａ及び１５２Ａの内側はそれぞれ、横方向又は内向きに突出する掛け金ビード１６１Ａ及び１６２Ａを含む（図２５）。図２１において理解できるように、デッキ第１部分４１Ａ及びデッキ第２部分４２Ａは各々、第１及び第２蓋掛け金ビード１６１Ａ、１６２Ａと協働するための、横方向又は外向きに突出する掛け金ビード１６４Ａ及び１６５Ａを含む。いずれかの蓋を閉じると、掛け金ビードは、図４Ａに示す第１実施形態の掛け金ビード１６２及び１６４に関して詳細に説明したものと同じ方式で、隣接する栓本体の第２デッキ部分の掛け金ビードの僅か下方に離隔する。蓋が、（例えば不意の衝撃からの、又は使用者の指又は親指による故意の押付けからの）上向きの力を受けた場合には、蓋は、掛け金ビードが係合するまで僅かに下向きに動くこともある。この時点で、蓋掛け金ビードを栓本体の掛け金ビードを越えて先まで動かすために、実質的により大きな力が必要である。掛け金ビードのこの配置は、栓３０Ａと結合パッケージの正規の取扱い中に、蓋を閉位置に保持するために機能する。しかし、掛け金ビードの配置は、十分な開放力を加えたときに蓋のゆっくりした開放に適応する。更に、蓋を閉めるとき、離隔した掛け金ビードの配置は、製造公差によって垂直寸法の僅かな変動に適応する。
【００６４】
図１４において理解できるように、第１蓋１２１Ａを上向きに押し付けて、その蝶番を開位置に旋回させることができる。第１蓋１２１Ａを、第１壁５１Ａと第２壁５２Ａの上の栓本体突起７１Ａと係合することによって、その開位置に保持、すなわち維持することができる。図１３及び１６を参照すると、第１壁５１Ａの内端面６１Ａ上の突起７１Ａは、第１蓋１２１Ａが開位置に動かされると第１蓋１２１Ａの横部分に係合するようになっている。同様に、図２２を参照すると、第２壁５２Ａの内端面６２Ａ上の突起７２Ａは、第１蓋１２１Ａの他の横縁部分に係合するようになっている。したがって、第１蓋１２１Ａは、第１蓋１２１Ａが保持される全開位置に第１蓋１２１Ａが旋回すると、栓本体の突起（例えば７１Ａ又は７２Ａ）の１つに各々が係合してこれを越えて強制されるための、一対の横縁部すなわち縁端部１７１Ａ（図２３）を画定することを特徴としてもよい。
【００６５】
第１蓋１２１Ａを閉位置に向けて動かし突起７１Ａ及び７２Ａを越えて第１蓋縁端部１７１Ａを強制するように、第１蓋１２１Ａに閉鎖力を加えないかぎり、第１蓋１２１Ａは全開位置（図１４）に保持される。第１蓋１２１Ａが完全に開いているときは、これは閉位置から約１７０度又はそれ以上の角度で保持されることが好ましい。これは分配開口８１Ａの周りの区域を露出し、デッキ第２部分４１Ａの周りに隙間を提供する。第１蓋１２１Ａが全開位置に保持されると、使用者は、第１蓋１２１Ａが流動製品の排出流の眺めをひどく妨害することなく、第１蓋１２１Ａが食品皿又はそのような物などの目標区域に不注意に触れることがあるように垂れ下がることなく、製品を容易に分配することができる。
【００６６】
図１４に示すように第１蓋１２１Ａが全開位置にあるときには、壁５１Ａ又は５２Ａの近くの蓋の横端縁部１７１Ａの下側縁部は、保持突起（蓋１２１Ａの片側の突起７１Ａと蓋１２１Ａの他の側の突起７２Ａ）の下に位置することが好ましい。
【００６７】
第２蓋１２２Ａは上記の第１蓋１２１Ａと同じ方式で機能する。したがって、使用者は２つの蓋のいずれか１つを選択的に開いてもよく、分配過程中又は分配開口を取り囲むデッキ部分の掃除中に、開いた蓋を全開位置に保持することができる。
【００６８】
第２蓋１２２Ａを開いて、８つの分配開口８８Ａ（図２０）を露出させることができる。８つの開口８８Ａを通って排出する製品は、十字すなわちプラス符号の形状の初期堆積物を形成することもできる。この目的のために、十字すなわちプラス符号のデザイン１８４Ａが、第２蓋１２２Ａの外側上部表面の上に示されている。
【００６９】
第１蓋１２１Ａを開いて、２つの分配開口８５Ａを露出させることができる。２つの分配開口８５Ａ（図１４及び２０）は、流動製品の２つの平行流を同時に分配することができる。使用者が分配中にパッケージをジグザグ様式で動かす場合には、流動材料は２つのジグザグ構成で堆積されることになる。この目的のために、第１蓋１２１Ａの外側上部表面は２つのジグザグ形状１８５Ａ（図１３）のデザインを備えている。
【００７０】
栓３０Ａを、２つの部品、すなわち栓本体３２Ａと栓頂部３４Ａとして容易に成形することができる。次にこの２つの部品を、栓本体３２Ａの上に栓頂部３４Ａをスナップフィットすることによって容易に組み立てることができる。これらの２つの部品を、異なる色彩で及び／又は異なる材料から作ることができる。
【００７１】
図１〜１２に図示する分配システムの第１実施形態と図１３〜２５に図示する分配システムの第２実施形態の両方において、頂部構造は栓本体から分離している。ある適用例では、栓頂部と栓本体を一体型の単一構造として形成することが望ましいこともある。しかし、図示した実施形態では、頂部は本体から分離しており、頂部を本体に取り付ける別の形式又は配置を使用してもよい。
【００７２】
図２６〜３１は、分離した栓頂部を栓本体に取り付けるための現在好ましい代替実施形態を図示する。図２６〜３１に図示する代替配置は、図１〜１２に図示する第１実施形態を参照して上に説明した種類の３蓋構造の中に組み込まれたものとして示されている。図１〜１２に図示する第１実施形態では、頂部は、アンカー孔６８の中に受け入れられる３つのアンカー・ポスト１０２を備えた栓本体に取り付けられている。しかし、図２６〜３１に示すような頂部を本体に固定する代替配置では、以下詳細に説明するようにただ１つのアンカー・ポストを使用する。１つの分離した頂部を１つのアンカー・ポストによって分離した栓本体に固定するこのような代替形式は、図１３〜２５に図示する栓の第２実施形態において使用してもよいことは理解されよう。
【００７３】
図２６〜３１を参照すると、栓本体の代替形式は参照番号３２Ｂによって指定され、栓頂部の代替形式は参照番号３４Ｂによって指定されている。栓本体３２Ｂ及び栓頂部３４Ｂの代替形式の多くの基本的特徴は、栓本体３２及び栓頂部３４の第１実施形態について先に説明した特徴と同一である。第１実施形態の特徴と同一である栓本体３２Ｂ及び栓頂部３４Ｂの代替形式の特徴を、本明細書で再度詳細に説明する必要はない。
【００７４】
図２６〜２８に図示するような栓本体３２Ｂの代替形式は、高くなった中央プラットフォーム６６Ｂにおいて単一のアンカー凹所６８Ｂを含む。この単一アンカー凹所６８Ｂは概して、図４、７、及び９に図示するような栓本体３２の第１実施形態において使用される３つのアンカー孔６８に機能的に類似している。しかし、アンカー孔６８とは異なり、単一凹所６８Ｂは高くなった中央プラットフォーム６６Ｂを完全に通って延びてはいない。凹所６８Ｂの下端部は平坦な底床部６９Ｂにおいて終端している（図２６及び２８）。凹所６８Ｂは全体的に円筒状の外形を有し、凹所６８Ｂの上部開放端部の近くに、僅かに径方向内側に突出した環状スナップフィット・ビード７０Ｂ（図２６〜２８）がある。
【００７５】
図２９〜３１に図示する栓頂部３４Ｂの代替実施形態は、定置中央パネル１００Ｂ（図２９〜３１）を含み、この中央パネルに第１蓋１２１Ｂ、第２蓋１２２Ｂ、及び第３蓋１２３Ｂが蝶番式に連結されている。１つのアンカー・ポスト１０２Ｂが中央パネル１００Ｂの下から下向きに突出している（図３０及び３１）。アンカー・ポスト１０２Ｂは、外部環状スナップフィット・ビード１０３Ｂを備えた全体的に中空の円筒状外形を有する（図３０及び３１）。
【００７６】
図２９〜３１において理解できるように、各蓋１２１Ｂ、１２２Ｂ、及び１２３Ｂは、浅い親指用凹所９１Ｂの先に突出する外向きに延びる持ち上げタブ１０５Ｂを含む。
【００７７】
頂部３４Ｂは、図１〜３の第１実施形態について示すように第１実施形態の栓頂部３４が第１実施形態の栓本体３２の上に取り付けられるものと同じ方向に、栓本体３２Ｂの上端部に取り付けられる。しかし、図２６〜３１に図示する代替実施形態では、単一のアンカー凹所６８Ｂの中のスナップフィット係合部に受け入れられるために、１つの単一アンカー・ポスト１０２Ｂのみが存在する。このようなスナップフィット係合部では、単一アンカー・ポストの環状ビード１０３Ｂ（図３１）がアンカー凹所６８Ｂにおいてスナップフィット・ビード７０Ｂを越えてその下方へ動く。頂部３４Ｂが栓本体３２Ｂの上で下方に押されて、栓頂部のアンカー・ポスト・ビード１０３Ｂを栓本体の凹所ビード７０Ｂを越えて強制すると、多少の一時的な弾性変形が、ビード及び栓本体３２Ｂ、又は栓頂部３４Ｂ、若しくはその両方の隣接する構造において発生する。
【００７８】
栓頂部３４Ｂを栓本体３２Ｂの上に正しく取り付けた後、蓋１２１Ｂ、１２２Ｂ、及び１２３Ｂを、図１〜１２に図示した第１実施形態の蓋１２１、１２２、及び１２３に関して説明したものと同じ方式で開閉（並びに開位置及び閉位置に保持）してもよい。
【００７９】
３蓋配置の図２６〜３１に図示する代替実施形態に関して上に説明した単一アンカー・ポスト／アンカー凹所構造を、図１２〜２５に図示する２蓋配置において使用してもよい。図１３〜２５に図示する２蓋配置を、２つのアンカー・ポスト１０２Ａ（図２３）を環状スナップフィット・ビード付きの単一アンカー・ポストに変えることによって、更に高くなった中央プラットフォーム６６Ａを変更して、更に厚くし、底部が閉じた単一アンカー凹所と内向きに突出した環状スナップフィット・ビードとを画定することによって、変更することができる。
【００８０】
本発明の上記の詳細な説明とその図面から、本発明の新規の着想又は原理の真の精神と範囲から逸脱することなく、多くの変形及び変更を行ってもよいことは容易に明らかになろう。
【図面の簡単な説明】
【００８１】
【図１】容器（図示せず）の上で、又は容器の一部として使用するための分配栓として実現された、本発明の分配栓システムの第１実施形態の斜視図であって、通常の閉じた方向配置で示された斜視図である。
【図２】図１と同様な図であるが、分配栓の頂部の上における３つの蓋の１つを開位置に移動した図である。
【図３】図１に示す分配栓の平面図である。
【図４】全体的に図３における平面４−４に沿って取られた断面図である。
【図４Ａ】図４において円で囲まれた構造の部分の拡大部分図である。
【図５】本体から分離した頂部を示す、図１に示す分配栓の分解斜視図である。
【図６】図１において円で囲まれた構造の部分の大きく拡大した部分図である。
【図７】図５に示す栓本体の下側の斜視図である。
【図８】図５に示す栓本体の平面図である。
【図９】全体的に図８における平面９−９に沿って取られた断面図である。
【図１０】図５に示す栓頂部の下側の斜視図である。
【図１１】図５に示す栓頂部の平面図である。
【図１２】全体的に図１１における平面１２−１２に沿って取られた断面図である。
【図１３】容器（図示せず）の上で、又は容器の一部として使用するための分配栓として実現された、本発明の分配栓システムの第２実施形態の斜視図であって、通常の閉じた方向配置で示された斜視図である。
【図１４】図１３と同様な図であるが、分配栓の頂部の上における２つの蓋の１つを開位置に移動した図である。
【図１５】図１３に示す第２実施形態の栓の平面図である。
【図１６】全体的に図１５における平面１６−１６に沿って取られた断面図である。
【図１７】本体から分離した頂部を示す、図１３に示す分配栓の第２実施形態の分解斜視図である。
【図１８】図１３において円で囲まれた構造の部分の拡大部分図である。
【図１９】図１７に示された栓本体の下側の斜視図である。
【図２０】図１７に示す栓本体の平面図である。
【図２１】全体的に図２０における平面２１−２１に沿って取られた断面図である。
【図２２】全体的に図２０における平面２２−２２に沿って取られた断面図である。
【図２３】図１７に示す栓頂部の下側の斜視図である。
【図２４】図１７に示す栓頂部の平面図である。
【図２５】全体的に図２４における平面２５−２５に沿って取られた断面図である。
【図２６】図５に示す栓本体の代替形の斜視図である。
【図２７】図２６に示す栓本体の代替形の下側の斜視図である。
【図２８】全体的に図２６における平面２８−２８に沿って取られた拡大断面図である。
【図２９】図５に示す栓頂部の代替形の斜視図である。
【図３０】図２９に示す栓頂部の代替形の下側の斜視図である。
【図３１】全体的に図２９における平面３１−３１に沿って取られた拡大断面図である。
【図１】
2008513311.tif 000003
【図２】
2008513311.tif 000004
【図３】
2008513311.tif 000005
【図４】
2008513311.tif 000006
【図４Ａ】
2008513311.tif 000007
【図５】
2008513311.tif 000008
【図６】
2008513311.tif 000009
【図７】
2008513311.tif 000010
【図８】
2008513311.tif 000011
【図９】
2008513311.tif 000012
【図１０】
2008513311.tif 000013
【図１１】
2008513311.tif 000014
【図１２】
2008513311.tif 000015
【図１３】
2008513311.tif 000016
【図１４】
2008513311.tif 000017
【図１５】
2008513311.tif 000018
【図１６】
2008513311.tif 000019
【図１７】
2008513311.tif 000020
【図１８】
2008513311.tif 000021
【図１９】
2008513311.tif 000022
【図２０】
2008513311.tif 000023
【図２１】
2008513311.tif 000024
【図２２】
2008513311.tif 000025
【図２３】
2008513311.tif 000026
【図２４】
2008513311.tif 000027
【図２５】
2008513311.tif 000028
【図２６】
2008513311.tif 000029
【図２７】
2008513311.tif 000030
【図２８】
2008513311.tif 000031
【図２９】
2008513311.tif 000032
【図３０】
2008513311.tif 000033
【図３１】
2008513311.tif 000034
【国際調査報告】
2008513311.tif 000035